(57)【要約】      （修正有）【課題】錨を投下した際水底の障害物から外れず引き上げが困難。【解決手段】風波や潮流等の自然牽引力が錨に作用しても錨は外れないが、船の動力や人力等の人為的な力で継続して作用する場合のみ外れる錨を考案した。１本件は「液体が充満したシリンダーのピストン部に瞬時強力な圧力をかけても、瞬時には僅かのストロークしか得られないが、微力でも時間をかければ長いストロークが可能」の原理を錨の爪折れ構造に応用した。２人為的に一定以上の力で継続的に錨を引くと、爪の連結棒が次第に伸びて、爪が開き始め、爪の起立角度が９０度を超えた時点で錨が外れる。従って船体が大波を受けて急激強力な負荷が錨に作用しても錨は外れない。３錨が外れる際の爪の半折れ状態はシリンダー内の水ポンプとバネの作用により起立状態へ徐々に自動復元する。４陸上での錨の運搬や保管の際は爪を手前に折りたたみコンパクト化する。【選択図】図−１
2005104443.tif 000002
【特許請求の範囲】
【請求項１】
錨の主軸と爪を連結する部分に「シリンダーとバネを装填したポンプ状の連結棒を設けた」、小型船（含むゴムボート）に使用する錨。
錨の爪はその連結棒に弾支され、各々独立して回動、手前に折りたため反対方向には主軸に対し９０度以上折れる構造としている。
錨を水中に投下した際、シリンダーのピストンロッドの周りの隙間と主軸側のシリンダーに設けた小さな吸排水孔により連結棒は水ポンプの役目を果たしシリンダー内のバネと両方で錨にかかる負荷を吸収する。
錨を掛かりから外して引き上げ様とする場合、継続（数秒間）的に一定以上の力（船の動力、ゴムボートの場合は人力）で錨を引っ張ると、爪にかかる負荷が連結棒を伸長させ、爪が９０度を超えた時点（半折れ）で錨が外れる。
以上の通り、本請求の要点は、「人為的に錨を引いた場合のみ、錨が外れる構造を達成する為に、水圧式ポンプの特質を応用した点」である。
風波による船体の揺れや潮流等の自然発生の瞬時的強力な負荷が錨に作用しても、連結棒のシリンダー内の水が狭い排出孔から瞬時に排出不可の構造により、連結棒は急に伸びることが出来ず錨が外れる心配はない。
なお、爪の半折れ状態により、掛りから外れた錨を水上に引上げる際、次の障害物（段差大の漁礁等）に再度錨が遭遇しても、かかる事は無い。
それは、連結棒内のポンプが再度作用し、瞬時に連結棒が元の長さに復元出来ず、爪の半折れ状態が数秒間続く構造の為である。
当該申請品の特徴は、以上の機能の他、次の付帯機能を有している。
▲１▼錨の運搬や保管などの際、爪を手前に折りたためるコンパクト機能。
▲２▼錨を使う船の大きさ、潮流の速度に対応機能。（バネ交換式）
▲３▼錨の手入れ、水抜き等、容易に出来る簡単分解構造。
▲４▼耐蝕、防錆機能材料による部品で構成した防錆機能。
▲５▼ゴムボート等の軽量浮遊体船で使用する錨は、弾性度の弱いバネに交換すると兼用可能。（人力の牽引だけで容易に外せる）
【発明の詳細な説明】
【技術分野】
【０００１】この発明は、海底に岩礁や漁礁等、障害物のある場所で小型船が使用する「錨の構造」に関する。
【背景技術】
【０００２】従来は、爪固定式の錨の場合、錨の手前部分と錨綱を紐で繋ぎ、その紐に一定以上の負荷がかかると紐が切れて錨綱を錨の先端部分に繋いだ状態（逆さ形）になる様、錨を外す工夫をしている。
それをしない場合は、無理に錨を引き上げようとして錨を破損するか、錨綱が切れて、錨を失うかの何れかになる。
この場合、紐の強度が難題であり、適当な強度を経験から知るノウハウが必要であり、その都度紐を補修する手間も必要となる。
以上の問題を解決するべく、本発明と同種の爪折れ方式の錨が他に特許申請されているが、それらは、本発明の特徴とするシリンダー構造の設定が無い為に、船体が大波を受け強度の負荷が錨にかかった際などに錨の爪が折れる状態となり、意図せず錨が外れる欠点がある。
錨綱が長く伸びている場合は、その弛みで、ある程度負荷を吸収出来るが水深が浅く錨綱を短く使用している場合には、急激な自然負荷が直接錨に作用し錨が外れる欠点がある。
さらに、旧来の爪折れ式錨の構造は複雑で水底の泥が錨の内部に流入し、構造的に機能障害を起こす確立が高いとの課題が残されている。
【発明が解決しようとする課題】
【０００３】▲１▼水底の固形障害物（漁礁、岩礁等）から錨が外れない難題を解決する。→当申請品は船の動力で錨を引っ張るだけで容易に外ずせる。
▲２▼ゴムボートなどの軽量の船は、錨を上げる際にボート本体の方が沈んでしまう難題を解決する。→弱い人力で錨の引き上げ可能。
▲３▼掛りから外れた錨が、引き上げ途中に再度次の障害物に掛る問題を解消する。→折れた爪の自動復元に時間（数秒）を要する構造。
▲４▼錨の持ち運び時のかさばる不便を解消する。→爪折りたたみ式。
【課題を解決するための手段】
【０００４】▲１▼錨の主軸と爪の連結部にバネを装填したリンダー状の連結棒を設ける。
▲２▼連結棒はピストンの摺動によって伸縮自在とし爪を手前に折りたためる構造とする為、両端を支点に回動する。
錨の投下中は、連結棒内シリンダーに水が充満し瞬時に伸縮出来ない。
▲３▼爪は手前に折りたため、前方には主軸に対し９０度以上開く（半折れ）。
▲４▼爪を折りたたんだ際は、主軸につけた爪ホルダーで爪先を保持する。
▲５▼錨が掛りから外れる際は、爪が半折れ状態となるが、外れた後は連結棒内のバネにより徐々に連結棒が縮んで爪が起立状態に自動復元する。
▲６▼爪の連結棒内のシリンダーは、下部をねじ式蓋として分解を容易にする。
▲７▼爪の先端はゴムボートなど船体保護のため、尖りの緩い形状としている。
【発明の効果】
【０００５】▲１▼水底に漁礁や岩礁のある場所（魚が多く住む場所）で、船を停泊する際錨を使うことの不安が解消される。
▲２▼錨の破損や錨を失うことが無くなり、錨が障害物に掛って外れない苦痛が解消する。
▲３▼ゴムボートなど浮力の小さい浮遊体でも水底の状況に関係なく錨を使うことが可能となる。
▲４▼固定爪式錨に比べて、折りたたみ式の為、運搬や保管が容易である。
【発明を実施するための最良の形態】
【０００６】以下図面により発明の実施を説明する。
錨を人為的に、一定以上の力で継続（数秒間）して引っ張ると、爪▲１２▼にかかる負荷により連結棒▲７▼が伸び、爪が９０度を超えて半折れ状態となり錨が外れる。
一方、船体が大波を受け急激強度な負荷が錨にかかる際など、自然発生の負荷では、連結棒内のシリンダーに充満した水は瞬時に狭い排出孔から排出されず、連結棒は伸長出来ないので錨は外れない。（自然負荷では外れない）
ゴムボートなど軽量浮体の船で使用する錨はシリンダー内に装填するバネの弾性度を弱くする（バネ交換）だけで、人力で継続的に引くだけで外れる。
潮流や船の大小によりバネ交換により爪折れ限度負荷の調整が可能である。
【図面の簡単な説明】
【０００７】
【図−１】
本体の正面図。
【図−２】
爪をたたんだ状態の正面図。
【図−３】
爪を開いた状態の下方からの図面。
【図−４】
爪を開いた状態の上方からの図面。
【符号の説明】
図−１の説明
▲１▼錨綱を繋ぐ輪状の取っ手。
▲２▼爪をたたんだ際の爪止めホルダー。
▲３▼錨の主軸。
▲４▼主軸と爪を連結する部位の主軸側ジョイント。
▲５▼シリンダー内への吸排水孔。
▲６▼折りたたんだ爪を復元するためのバネ
▲７▼シリンダー（水ポンプ）
▲８▼水ポンプを作動するピストン。
▲９▼錨に掛る爪の負荷を吸収するバネ。（爪折れ負荷限度に応じ交換可能）→同時に折れた爪の自動復元の役目を果たす
▲１０▼ポンプの下蓋（貫通するピストンロッドの隙間は吸排出孔の役目）
▲１１▼主軸と爪を連結する部位の爪側ジョイント。
▲１２▼錨の爪。（９０度ごとに４本同じ形状機能で配列）
▲１３▼爪の支点ジョイント。
【図−１】
2005104443.tif 000003
【図−２】
2005104443.tif 000004
【図−３】
2005104443.tif 000005
【図−４】
2005104443.tif 000006